(57)【要約】【課題】髪に巻きつけるヘアカーラーによるヘアスタイリングプロセスによるカールの形成を向上する装置の提供。【解決手段】握り部分３と、握り部分３から突出して、ヘアカーラー２を回転しないように受け入れるための少なくとも一つの軸５と、閉位置にあるとき軸５に平行に延在する髪保持部材８であって、軸５とともに髪受入部を形成し、軸５に対して旋回可能に配置され、髪受入部を開閉できるようにした髪保持部材８と、を含む、ヘアカーラー２に髪に巻きつけるための装置であって、高電圧発生装置１０を有するイオン化装置９と、高電圧発生装置１０に電気的に接続された少なくとも一つのイオン放射電極１２とを有し、装置１によって保持されているヘアカーラー２の周りに巻かれた髪１４の上に直接イオンを放射できるように、少なくとも一つの電極１２に少なくとも一つのイオン放射端１３が設けられている装置。【選択図】  図１
2005253974.tif 000002
【特許請求の範囲】
【請求項１】
握り部分（３）と、前記握り部分（３）から突出して、ヘアカーラー（２）を回転しないように受け入れるための少なくとも一つの軸（５）と、閉位置にあるときは前記軸（５）に平行に延在する髪保持部材（８）であって、前記軸（５）とともに髪受入部を形成し、前記軸（５）に対して回転可能に配置され、前記髪受入部を開閉できるようにした前記髪保持部材（８）と、を含む、髪をヘアカーラー（２）に巻きつけるための装置であって、該装置（１）は高電圧発生装置（１０）を有するイオン化装置（９）と、前記高電圧発生装置（１０）に電気的に接続された少なくとも１つのイオン放射電極（１２）とを備え、少なくとも一つの電極（１２）に少なくとも一つのイオン放射端（１３）が、前記装置（１）によって保持されているヘアカーラー（２）の周りに巻かれた前記髪（１４）の上に直接イオン放射できるように設けられていることを特徴とする装置。
【請求項２】
前記握り部分（３）の縁辺部内にある前記電極（１２）の前記少なくとも一つのイオン放射端（１３）は、前記軸（４、５）の上に置かれたヘアカーラー（２）の方向に前記イオン放射端（１３）を向けた状態で配置されていることを特徴とする請求項１に記載の装置。
【請求項３】
実用的には単一電極（１２）の先端である環状構造のイオン放射端（１３）を複数備えていることを特徴とする請求項２に記載の装置。
【請求項４】
前記イオン化装置（９）全体が前記装置（１）の前記握り部分（３）内に配置されていることを特徴とする請求項１〜３のいずれかに記載の装置。
【請求項５】
前記ヘアカーラーの収納および加熱の役目をするヘアセットコンテナケース付きヘアセット一式を備え、前記装置（１）のための支持台を有することを特徴とする請求項１〜３のいずれかに装置。
【請求項６】
充電式電池が供給電源としての役目を担い、前記装置（１）は、前記充電式電池の誘電充電のための充電ポートを含み、前記充電ポートは、前記装置（１）が前記へアセットコンテナケースの前記支持台内に置かれた状態で、前記充電ポートが前記誘電充電ステーションに隣接して配置されるように、前記装置（１）の前記握り部分（３）内の部位に配置されていることを特徴とする請求項５に記載の装置。
【請求項７】
前記高電圧発生装置は、前記へアセットコンテナケース内に配置されており、電気接続コードを介して前記装置内に配置された前記電極に接続されていることを特徴とする請求項１〜５のいずれかに記載の装置。
【請求項８】
握り部分（３）の近くに、前記装置（１）は、前記イオン化装置（９）を作動させるための電気押釦スイッチ（１１）を含むことを特徴とする請求項１〜７のいずれかに記載の装置。
【発明の詳細な説明】
【技術分野】
【０００１】
本発明は、握り部分と、握り部分から突出して、ヘアカーラーを回転しないように受け入れるための少なくとも一つの軸と、閉位置にあるときは軸に平行に延在する髪保持部材であって、軸とともに髪受入部を形成し、軸に対して回転可能に配置され、髪受入部を開閉できるようにした髪保持部材と、で構成された髪をヘアカーラーに巻きつけるための装置に関する。
【背景技術】
【０００２】
このような装置は、熱せられたヘアカーラーに髪を巻いて髪をスタイリングするために採用される。このような装置を使用すると、手で髪をヘアカーラーに巻きつけて髪をスタイリングするときよりも高い温度までヘアカーラーを熱することができる。このような装置は、握り部分と、ヘアカーラーを回転しないように受け入れるために握り部分から突出した一つまたは複数の軸を含む。装置によって把持されたヘアカーラーは複数の受入部を含み、その受入部の数は軸の数に対応し、その受入部はほぼ軸方向に延在しており、その受入部の中に装置の軸が挿入されることでヘアカーラーは保持される。ヘアカーラーと装置との間の回転防止は、装置から握り部分を経由してヘアカーラーに回転運動を作用させて髪を巻き取る力をヘアカーラーへ伝達するために不可欠である。
【０００３】
装置はさらに回転可能に関節でつながった髪保持部材を含み、髪保持部材は軸とともに髪受入部を形成し、髪保持部材が閉位置にあるとき、髪保持部材は軸に平行にまたは実質的に平行に延在している。髪受入部は髪の毛を受け取りヘアカーラーの周りに巻く役目をしている。髪保持部材はさらに軸の上に置かれたヘアカーラーを保持する役目をも有する。
【発明の開示】
【発明が解決しようとする課題】
【０００４】
ヘアスタイリングプロセス中に、髪は静電気を帯びる可能性があり、静電気は小さなほこりや塵埃粒子を引き寄せるだけでなく、特に所望のヘアスタイリングプロセスの妨げとなる恐れがあることが知られている。この影響を打ち消すために、ヘアカーラーのための収納コンテナケースがすでに開発されており、これらのカーラーは髪を巻き取る前にコンテナケース内で加熱される。収納ケースにはイオン化装置が付属しており、イオン化装置のイオン放射電極を介してイオンがヘアカーラーの外面に取り付けられる。その目的は、ヘアカーラーを髪に付けるとき、これらのイオンを通して髪が静電放電されるようにすることである。この手段は、ある限度内でしか望ましい成果を収めていない。
【０００５】
したがって、前述の先行技術に基礎として、本発明は、髪を巻き取るヘアカーラーを通して、ヘアスタイリングプロセスによるカールの形成が向上するように、上述の装置をさらに改善することを意図している。
【課題を解決するための手段】
【０００６】
上記の意図は、上記の構成を有する本発明により達成されており、本発明においては、高電圧発生装置と高電圧発生装置に接続された少なくとも一つのイオン放射電極とを具備するイオン化装置が装置に付属しており、少なくとも一つの電極に少なくとも一つのイオン放射端が設けられていて、装置によって保持されているヘアカーラーの周りに巻かれた髪の上に直接イオンを放射することができるようになっている。
【０００７】
この装置は、高電圧発生装置に電気的に接続された少なくとも一つの電極を含み、電極は一つ又は複数のイオン放射端を含み、イオン化装置の作動中、電極からイオンがヘアカーラーの周りに巻かれた髪の上に直接放射される。イオン化装置の少なくとも一つの電極のイオンを放射する一つ又は複数の先端は、イオン化装置の作動中にこれらの先端から放射されるイオンが髪に直接供給されてヘアスタイリングされるように配置されている。イオン化装置の作動中、髪は引き続き事実上のイオンシャワーにさらされてヘアスタイリングされる。髪とヘアカーラーとの間に、帯電を発生させる可能性のある摩擦がもはやまったく発生しなくなった時にのみ任意の静電放電を起こすようにするために、イオン化装置は髪がヘアカーラーの上に巻かれた時点で動作させる。静電放電の特性には、すでにヘアスタイリングプロセスを支援する特性があるほか、単に静電放電が発生していたときのカールの品質と違って、所望の形に形成したカールの品質がさらに良好になるという特性が得られる。
【０００８】
好ましい実施形態において、電極のイオン放射端は、軸に隣接している縁辺部内に配置されており、軸端の方向に向けて配置されている。そのような複数のイオン放射端が、たとえば、電極に３つ、４つ、または、６つのイオン放射端が互いに対してまったく同一の角距離で配置され付属されているような環状構造で使用できるように作られている場合、特に強力なイオンシャワーを供給することが可能になる。握り部分は、イオン化装置のスイッチを入り切りできる押釦スイッチを含むことができる。スイッチを押すと、イオン化装置のスイッチが入る。押釦を離すとイオン化装置のスイッチが切れる。この場合、イオン化装置の動作は、ヘアカーラーに髪を巻いた後、ヘアカーラーが装置から取り外されるまでの非常に短い時間に容易に限定することができる。たとえヘアスタイリング中の髪が短時間しかイオンシャワーにさらされないとしても、基本的にその短時間で十分であると考えられる。
【０００９】
装置が高電圧発生装置ならびに電圧電源を含むように、イオン化装置全体もまた装置の構成部品であってもよい。そのような場合、電源として、電池または充電式電池も採用可能である。後者の場合、装置に充電ポートを備えると便利であり、そのポートを介して充電式電池の誘導充電が可能になる。装置はヘアカーラーの収納および加熱のためのヘアセットコンテナケース付きヘアセット一式の構成部品であり、このヘアセットケースがさらに装置のための支持台を備えている場合、そのように充電ポートを備えた装置は便利である。この場合、装置の誘導充電のために、支持台には適切な位置に誘導充電手段を装備することができる。
【００１０】
原則として、装置がヘアセット一式に付属している場合、高電圧発生装置がヘアセットケース内に配置されていてもよい。このような場合、装置を電気コードでヘアセットケースに接続することが必要である。ヘアカーラーを保持している少なくとも１つの軸がモーターで駆動されるというさらなる構成が提供される。この場合、ヘアカーラーの回転はモーター駆動によって行われるようになる。
【発明の効果】
【００１１】
高電圧発生装置とイオン放射電極とを具備するイオン化装置が装置に付属しており、イオン放射電極により、装置によって保持されているヘアカーラーの周りに巻かれた髪の上に直接イオンが放射されるようにしたので、ヘアスタイリングプロセスの妨げとなる静電気の影響を打ち消すことができる。
【発明を実施するための最良の形態】
【００１２】
以下に添付の図面に関連して好ましい実施形態の例とともに本発明を説明し、以下に図を示す。
【００１３】
装置１は、ヘアカーラーの上に人の髪を巻く役目をしており、装置１の一つのヘアカーラー２を図１に示す。装置１は、装置１から剣のように軸４が突き出ている装置１を握るための握り部分３を含む。軸４は握り部分３と比較して先細りしており、軸部分５に適切に隣接している第１の部分を含む。軸部分５は楕円形の横断面積を有している。軸４の軸部分５を有する軸４はヘアカーラー２を受け入れる役目をしており、ヘアカーラー２は、軸部分５を受け入れるために、受入部６、６’が軸部分５に補完的であるように受入部の横断面積に対して形成された二つの受入部６、６’を含む。その結果、軸４をヘアカーラー２の受入部６、６’の一つの中に軸４の軸部分５とともにすべり込ませることが可能になるので、装置１を用いてヘアカーラー２を取り扱うことができ、特に使用者の髪を巻きつけることができるようになる。ヘアカーラー２は、さらに受入部６、６’の開口部の反対側からヘアカーラー２内に延在する発熱体受入部７を含み、この発熱体受入部７を用いて、ヘアカーラー２を発熱体の上に置いてヘアカーラー２を加熱することができ、この発熱体の外形は補完的である。
【００１４】
装置１はさらに握り部分３上に旋回可能に関節でつながった髪保持部材８を含む。図１に示すように、髪保持部材８の閉位置において、髪保持部材８は実質上軸４の範囲で平行に延在している。髪保持部材８は、ばねの力がかかった状態になっており、髪保持部材８の閉位置にばねの力によって保持されている。ヘアカーラー２を発熱体から抜き、髪保持部材８とヘアカーラー２の外殻面との間に髪の毛の端を保持して、髪をヘアカーラー２に巻くとき、髪保持部材８は軸部分５の上でヘアカーラー２を固定する役目をしている。
【００１５】
装置は、さらに、押釦スイッチ１１を介して電源に接続される高電圧発生装置１０を有するイオン化装置９、ならびに、高電圧発生装置１０に接続された電極１２を含む。電極１２は複数のイオン放射端１３を含み、イオン放射端１３は軸４の方へ向けられた握り部分３の端部においてヘアカーラー２の方向に配向された電極１２から延長されて配置されている。イオン放射端１３は先細りになっており互いに同じ周方向距離離れて握り部分上に設けられている。図示された好ましい実施形態の例において、電極１２は３つのイオン放射端１３で構成されている。
【００１６】
図２に概略的に示すように、装置を使って髪の毛１４をヘアカーラー２に巻いた後、押釦スイッチ１１を働かせることによって髪の毛１４をイオンシャワーにさらすことができる。押釦スイッチ１１を働かせると、イオン化装置９が動作を開始し、イオン放射端１３によって、ヘアカーラー２に巻かれた髪の毛１４の方向にイオンが所望量だけ放射される。このプロセスはヘアスタイリングプロセスを支援する効果を有する。
【００１７】
イオン化装置９の実施形態によっては、イオン化装置は押釦スイッチ１１を作動させている時間の長さの間作動し、この時間間隔の間中イオンを放射することができる。さらに押釦スイッチ１１は単なる引き金スイッチとしてのみ働かせ、イオン放射は所定の長さの時間にわたって行われ、後にイオン化装置９は自動的にスイッチが切られるようにすることもできる。
【００１８】
図示された好ましい実施例において、誘導充電ポート（図に示していない）に接続されている充電式電池がイオン化装置のための電源としての役目をしている。装置は、複数のヘアカーラーに加えて、ヘアセットケースを含むヘアセット一式の構成部品である。ヘアセットケースは装置１のための支持台を含む。装置の充電ポートに対応する箇所において、装置１がヘアセットケースの支持台の中に置かれているときに充電式電池が充電されるように、誘導充電装置は支持台内に設置されている。装置１の高電圧発生装置に電力を供給するために、上述の実用化の代わりに、直接商用電源接続を介して電力の供給を受けることも可能であることは理解されることである。
【図面の簡単な説明】
【００１９】
【図１】図１は、装置およびヘアカーラーの概略側面図である。
【図２】図２は、装置によって髪の毛を巻いたヘアカーラー。
【符号の説明】
【００２０】
１  装置
２  ヘアカーラー
３  握り部分
４  軸
５  軸部分
６、６’  軸受入部
７  発熱体受入部
８  髪保持部材
９  イオン化装置
１０  高電圧発生装置
１１  押釦スイッチ
１２  電極
１３  イオン放射端
１４  髪の毛
【図１】
2005253974.tif 000003
【図２】
2005253974.tif 000004
【外国語明細書】
2005253974000001.pdf
2005253974000002.pdf
2005253974000003.pdf
2005253974000004.pdf